(57)【特許請求の範囲】
【請求項１】
固定部品（３、１０３、２０３、３０３）が固締位置で溝の少なくとも対向領域で溝（５、１０５、２０５、３０５）に係合され、固締位置でそこに保持されるようにした、溝（５、１０５、２０５、３０５）を有するボルト（２、１０２、２０２、３０３）の軸方向固定のための装置であって、前記ボルトが軸方向に挿通され、固締位置で前記固定部品（３、１０３、２０３、３０３）によって前記溝（５、１０５、２０５、３０５）の高さに保持され、かつ固締位置で前記固定部品（３、１０３、２０３、３０３）を少なくとも部分的に包囲するように構成された別個の要素（４、１０４、２０４、３０４）をさらに有する前記装置において、
解放のために前記固定部品（３、１０３、２０３、３０３）が前記要素（４、１０４、２０４、３０４）に対して相対的に固締位置から開位置に移動することができ、
前記要素（４、１０４、２０４、３０４）が基本的にＵ字形金属板であり、前記固定部品（３、１０３、２０３、３０３）を少なくとも固締位置で部分的に包囲し、前記要素（４、１０４、２０４、３０４）の真ん中に、前記ボルト（２、１０２、２０２、３０２）上に押し込むための開口（１３、１１３、２１３、３１３）があり、
前記固定部品がＵ字形固定用クリップ（３、１０３、２０３、３０３）であり、
前記Ｕ字形固定用クリップ（３、１０３、２０３、３０３）が二つの平行な脚（７，１０７、２０７、３０７）を有し、それらの自由端に外向きの折曲げ部（６、１０６、２０６、３０６）が配置され、それによって前記固定部品（３、１０３、２０３、３０３）が前記要素（４、１０４、２０４）に結合され、
前記固定部品が、前記要素（４、１０４、２０４、３０４）の脚（９、１０９、２０９、３０９；１０、１１０、２１０、３１０）の間で、前記要素（４、１０４、２０４、３０４）の一端の開位置から固締方向（Ｓ）に前記要素（４、１０４、２０４、３０４）の他端の固締位置まで直線的に移動することができ、
前記脚（９、１０９、２０９）より前記他方の脚（１０、１１０、２１０）が長く、少なくとも一つの折曲げ部（１５、１１５、２１５）が前記他方の脚（１０、１１０、２１０）の自由端に配置され、固締位置で前記固定部品（３、１０３、２０３）がその折曲げ部（６、１０６、２０６）によって前記他方の脚（１０、１１０、２１０）の折曲げ部（１５、１１５、２１５）と前記脚（９，１０９，２０９）の戻止め面（１９、１１９、２１９）との間に保持されることを特徴とする固定装置。
【請求項２】
前記要素（４、１０４、２０４、３０４）が固締位置で前記固定部品（３、１０３、２０３、３０３）をその輪郭内に捕捉することを特徴とする請求項１に記載の固定装置。
【請求項３】
前記固定用クリップ（１０３、３０３）を固締位置で前記溝（１０５、３０５）の位置で締め付けて固締することができるように、前記固定用クリップ（１０３、３０３）が少なくとも一つの狭窄部（１２１、３２１）および一つの拡張部（１２４、３２４）を有することを特徴とする請求項１に記載の固定装置。
【請求項４】
前記要素（４、１０４）の前記開口（１３、１１３）にガイドストラップ（１８、１１８）が界接し、前記要素（４、１０４）を前記ボルト（２、１０２）上に押し込む方向に見た前記ガイドストラップの長さが、前記溝（５、１０５）の幅より大きいことを特徴とする請求項１に記載の固定装置。
【請求項５】
前記固定部品（３、１０３、２０３）が固締位置から開位置に戻ることを防止する、ばね作用戻止め面（１９、１１９、２１９）を前記要素（４、１０４、２０４）が有することを特徴とする請求項１ないし４のいずれか一項に記載の固定装置。
【請求項６】
前記固定部品（３、１０３、２０３）が前記折曲げ部（６、１０６、３０６）によって固締位置に保持されることを特徴とする請求項１ないし５のいずれか一項に記載の固定装置。
【請求項７】
前記要素（４、１０４、２０４）の一方の脚（９、１０９、２０９）がその自由端で他方の脚（１０、１１０、２１０）に対し弾性的に張力を加えて、固締位置で戻止め面（１９、１１９、２１９）を形成することを特徴とする請求項１ないし６のいずれか一項に記載の固定装置。
【請求項８】
前記脚（９）の自由端が他方の脚（１０）に当接するまで固締方向（Ｓ）に対して直角に湾曲し、前記脚（９）の自由端が折曲げ部（１４）を有し、その横に前記固定部品（３）の脚（７）が挿通される凹部（１２）と隣接して戻止め面（１９）が形成されるように、前記戻止め面（１９）が前記脚（９）に形成されることを特徴とする請求項１ないし７のいずれか一項に記載の固定装置。
【請求項９】
自由端に戻止め面（１１９）が形成された他方の脚（１１０）に前記脚（１０９）の自由端が当接するまで、それを前記固締方向（Ｓ）に対して斜めに湾曲するように、前記戻止め面（１１９）が前記脚（１０９）に形成されることを特徴とする請求項１ないし８のいずれか一項に記載の固定装置。
【請求項１０】
自由端に戻止め面（１１９）が形成された他方の脚（２１０）の方向に対して斜めに湾曲したばねストラップ（２２２）が脚（１０９）の自由端に配設されるように、戻止め面（２１９）が脚（２０９）に形成されることを特徴とする請求項１ないし９のいずれか一項に記載の固定装置。
【請求項１１】
前記要素（４、１０４、２０４、３０４）が、前記二つの脚（７、１０７、２０７、３０７）を持つ前記固定部品（３、１０３、２０３、３０３）を固締位置から開位置への移動過程で凹部（１７、１１７、２１７、３１７）に押し通すことができるような寸法の凹部（１７、１１７、２１７、３１７）を、二つの脚（９、１０９、２０９、３０９；１０、１１０、２１０、３１０）の間の湾曲部（１１、１１１、２１１、３１１）に有することを特徴とする請求項１ないし１０のいずれか一項に記載の固定装置。
【請求項１２】
前記要素（４、１０４、２０４）に取外し用窓（１６、１１６，２１６）が設けられ、そこを通して前記要素（４、１０４、２０４）をロック解除して、前記固定部品（３、１０３、２０３）を解放することができることを特徴とする請求項１ないし１１のいずれか一項に記載の固定装置。
【請求項１３】
取外し用窓（１６、１１６、２１６）が少なくとも一つの折曲げ部（１５、１１５、２１５）に設けられることを特徴とする請求項１２に記載の固定装置。
【請求項１４】
前記要素（１０４）が前記固定用クリップ（１０３）を解放するためのレバーストラップ（１２７）を有することを特徴とする請求項１２または１３のいずれか一項に記載の固定装置。
【請求項１５】
前記要素（２０４）が側部に傾斜部（２２３）を有し、前記要素（２０４）の脚（２０９、２１０）の間の空間を側面で密閉することを特徴とする請求項１ないし１４のいずれか一項に記載の固定装置。
【発明の詳細な説明】
【技術分野】
【０００１】
本発明は、固定部品が少なくとも対向領域の固締位置の溝に係合し、固締位置でそこに保持される、溝付きボルトの軸方向固定のための装置に関する。
【背景技術】
【０００２】
ボルト保持器としても知られるそのような装置は、多くの異なる形で親しまれている。一つの単純なバージョンとして、締付け効果のためにボルトの溝内に押込まれる固定用クリップがある。そのようなクリップは、例えばドイツ特許第37 04 650 C2号に示されている。ここで、締付け保持のために、クリップによって提供されるばね力は、溝内に差し込まれるときに克服される。同様に、クリップを取り外すために、それを再び克服しなければならない。しばしばクリップはこのプロセス中に折れ曲がったり破損したりする。
【０００３】
ドイツ実用新案第DE 80 19 658U1号にあるような固定用クランプを使用する方法も公知である。溝内に差し込まれるＵ字形クリップまたはプレートを有する以外に、これらのクランプは、相互に相手方向に湾曲し、固定状態のボルトを取り囲む、二つの舌片から成る固定要素を有する。Ｕ字形クリップは、舌片の締付け効果によって溝内に固締状態に保持される。これらのクランプは単一の薄板金から打ち抜かれ、曲げ成形されるので、クリップの保持力および舌片のばね力は両方とも、任意にかつ相互に独立して選択することができない。また、構造片全体がボルトの軸方向の力を受ける。
【０００４】
ドイツ実用新案第20 2004 019 671 U1号、欧州特許公開第0 990 807 A1号、米国特許第4,009,896号、および米国特許第5,518,332号の各々から、ばねワイヤが開離展開されて溝内に導入され、そこでばねの締付け力によって保持される、溝付きボルトの軸方向固定のための装置は公知である。実際、これらの装置は、ばねの締付け力によってのみ保持される。しかし、固定用ワイヤに接続され、それを覆い、解放位置にそれを保持し、あるいはその形状のためにボルトが通過する他の装置を固定するように働く、追加的要素を設けることができる。
【特許文献１】ドイツ特許第37 04 650 C2号
【特許文献２】ドイツ実用新案第DE 80 19 658U1号
【特許文献３】ドイツ実用新案第20 2004 019 671 U1号
【特許文献４】欧州特許公開第0 990 807 A1号
【特許文献５】米国特許第4,009,896号
【特許文献６】米国特許第5,518,332号
【発明の開示】
【０００５】
したがって、本発明の目的は、単純かつ信頼できる溝付きボルトの軸方向固定のための装置を提供することである。さらに、該装置はできるだけ小さく、かつ、ボルトの費用のかかる機械加工を必要としないものでなければならない。
【０００６】
この目的は、請求項１に記載する装置によって達成される。この装置の有利な実施形態は、請求項２ないし２０に記載されている。
【０００７】
本発明によると、固定部品が少なくとも対向領域の固締位置の溝に係合し、固締位置でそこに保持される、溝付きボルトの軸方向固定のための装置では、該装置がさらに、その中をボルトが軸方向に通過する別個の要素を有し、固定部品によって固締位置で溝の高さに保持され、かつ固締位置で固定部品を少なくとも部分的に包囲するので、単純かつ信頼できる構成が達成され、固定部品を緩めるために、要素に対する固締位置から固締方向とは反対に開位置までそれを移動させることができるので、固定部品の容易な着脱、または容易な固締および解放が達成される。
【０００８】
この新しい装置は、ボルトに対して互いに異なる方向にのみ、ここでは垂直方向に、移動することのできる二つの構造部品、ここでは固定部品および要素の相互作用によって、効果的な保持を達成するという原理を利用する。
【０００９】
溝に係合する固定部品はボルトを軸方向に固定するように働き、容易に溝内に押し込んだり、溝から押し出したりすることができる。
【００１０】
要素は、構成に従って異なる機能を持つことができる。したがって、最も単純な場合、それは固定部品が、干渉する輪郭のため、偶発的に緩むのを防止する機能を有する。これに加えて、または代替的に、要素は固定部品に結合することができるので、捕捉機能を持つことができる。再び、追加的に、または代替的に、要素は固締位置で溝に対して固定部品を保持するので、保持機能を持つことができる。
【００１１】
要素の構成または機能に従って、固定部品自体も、その固締機能の他に、保持機能を持つことができる。その場合、要素は保護機能および捕捉機能のみを有する。これは各々の機能の明瞭な分離をもたらし、それに応じて対応する部品を最適化することができる。
【００１２】
他方、「二重」安全性が得られるように、要素が保持機能をも持つことも可能である。
【００１３】
要素が固締位置で形状嵌合によって固定部品を保持し、あるいは固定部品をその輪郭内に捕捉させると、特に安全である。
【００１４】
固定部品はＵ字形固定用クリップであることが好ましく、かつ構造上特に単純である。固定用クリップは、湾曲したワイヤまたは薄板金部品とすることができる。
【００１５】
構造上特に単純であるのは、二つの平行な脚を持つＵ字形固定用クリップとしての固定部品の形である。脚の自由端には、外向きの折曲げ部が配置されることが好ましく、それによって固定部品は要素に結合される。このようにして、捕捉機能の構成を単純化することができる。さらに、折曲げ部は固定部品を固締位置に保持する役割を持つことができる（下記参照）。
【００１６】
要素は基本的に、少なくとも部分的に固定部品を包囲するＵ字形金属板であり、要素の真ん中にボルトを押し込むための開口があることが好都合である。この構成は、型打ちおよび成形による容易かつ安価な生産を可能にする。
【００１７】
要素の開口を縁取るガイドストラップがあり、要素をボルト上に押し込む方向に見たその長さは溝の幅より大きいので、要素がボルト上に押し込まれるときに、要素の脚は溝内に滑り込むことができず、ボルト保持器を設置するのに困難が生じる。
【００１８】
固定部品の容易な着脱、または容易な固締および解放は、要素がばね作用戻止め面を有することで達成される。それは固定部品が固締位置から開位置に戻るのを防止する。この場合、固定部品自体は保持機能を持つ必要はなく、したがって固締機能を最適化することができる。これは、固定部品と、保持部品として働く要素との機能の明瞭な分離をもたらす。固定部は溝に係合して、ボルトを軸方向に固定するためにだけ働き、溝の方向のばね張力が掛からないので、容易に溝に押し込んだり、溝から押し出したりすることができる。固定部品は、要素およびその戻止め面のみによって固締位置に保持される（保持機能）。固定部品の折曲げ脚は、固締位置で戻止め面と噛み合わせることが好都合である。
【００１９】
好ましくは、固定部品は、要素の一端のその開位置から固締方向に要素の他端のその固締位置まで、要素の脚の間を移動することができる。
【００２０】
二つの脚を持つ固定部品が固締位置から開位置に移動する過程で凹部に押し込むことができるような寸法の凹部を、要素が二つの脚の間の湾曲部に有することで、固定部品が開位置で要素に捕捉的に結合されることが好ましい。したがって、固定部品の二つの折曲げ部は、開位置で保持部品の上下の脚間に維持される。
【００２１】
要素の自由端領域で一方の脚が他方の脚に対して弾性的に張力が加えられた状態にあり、固締位置で戻止め面を形成することで、大きいばね力、およびしたがって優れた戻止め作用のみならず、要素の再使用可能性もまた達成され、有利である。
【００２２】
好ましくは、他方の下脚は上脚より長く、少なくとも一つの折曲げ部が他方の脚の自由端に配置され、固締位置で固定部品はその折曲げ部によって、他方の脚の折曲げ部と脚の戻止め面との間に保持される。溝内の固定部品の位置はこうして、固締の方向およびその反対方向に確実に保持することができる。
【００２３】
第一様式における要素は、脚に戻止め面が形成され、脚の自由端が他方の脚に当接するまで固締方向に対して直角に湾曲するように構成され、脚の自由端は折曲げ部を有し、その後ろ側に、固定部品の脚を通す凹部に隣接して戻止め面が形成される。こうして、固締位置で比較的大きい戻止め面によって、固定部品の折曲げ部を確実に保持することができる。
【００２４】
要素の第二構成は、脚の自由端が他方の脚に当接するまで固締方向に対して斜めに湾曲するように、脚の自由端に戻止め面を形成することを求める。戻止め面は小さくなるが、上脚の下向き湾曲端は上脚の縁部領域にのみ位置するので、固定部品の脚は戻止め面を通過して固締位置に至らせることができ、対応する凹部を形成する必要なく、戻止め面の背後でそれらの折曲げ部と係合する。
【００２５】
要素の第三構成では、戻止め面は、自由端に戻止め面が形成される他方の脚の方向に対して斜めに湾曲した脚の自由端にばねストラップが配設されるように、脚に形成される。このような方法で、上脚の端部ではなく、ばねストラップの形の上脚の小さい切抜き部だけが下向きに湾曲して、戻止め面を形成するので、要素全体がブロック状の外側輪郭を取る。この構成では、固締位置の固定部品は要素に収容され、したがって要素によって保護される。
【００２６】
別の実施形態では、要素は、すでに上述した通り、単なる保護機能および捕捉機能を有する。このために、それは第三実施形態の場合と同様に構成されるが、戻止め面を持たない。固定部品は、固締位置で溝に対して締め付けるように固締することができるように、少なくとも一つの狭窄部および一つの拡張部を有するので、戻止め面は不要である。したがって、固定部品は、固定機能に加えて、保持機能を持つ（上記参照）。
【００２７】
ロックを緩めることによって装置の取外しを容易にするために、要素に取外し用窓を設けることができ、そこを通して要素をロック解除し、固定部品を解放することができる。特に、取外し用窓は、少なくとも一つの折曲げ部に設けることができる。これは、ねじ回しのような適切な工具により行なうことができる。他方、ロック解除のために工具を必要としないように、要素が固定用クリップを解放するためのレバーストラップを持つことも可能である。
【００２８】
言うまでもなく、上述した実施形態の様々な組合せが可能である。
【発明を実施するための最良の形態】
【００２９】
本発明の追加の特徴、詳細、および利点は、請求の範囲、および本発明をさらに詳しく説明する図面を用いた例示的実施形態についての以下の記述から明らかになるであろう。
【００３０】
図１ないし１６で、溝５、１０５、２０５、３０５を備えたボルト２、１０２、２０２、３０２または類似物の軸方向固締のための装置全体、つまりボルト保持器は１、１０１、２０１、３０１によって表わされる。それは、要素４、１０４、２０４、３０４に対して開位置から固締位置に移動することのできる固締クリップとして構成された固定部品３、１０３、２０３、３０３を含む。固締位置で、固定部品３、１０３、２０３、３０３は溝５、１０５、２０５、３０５に係合し、Ｕ字形金属板として構成されかつ固定部品３、１０３、２０３、３０３に移動可能に接続された要素４、１０４、２０４、３０４によって固締位置に包囲される。
【００３１】
図１ないし４は、ボルト保持器の第一実施形態を示す。固定部品３は、断面が溝５に適合された鋼線から成り、基本的にＵ字形状を有する。それは、湾曲部８によって相互に接合された二つの平行な脚７を有する。脚７の間隔は、溝５の直径に適合される。それらの自由端に、脚７は各々、固定部品３と同一平面内に存する約９０度の外向きの折曲げ部を有し、それらは相互に反対方向に向けられる。したがって、固定部品３は文字オメガに多少類似する。
【００３２】
要素は保持要素４として構成され、適切なばね鋼から成り、同様に基本的にＵ字形状を有する。保持要素４は、ほぼ平行に走りかつボルト保持器１の固締位置でボルト２の軸にほぼ直角に向けられる、第一上脚９および第二下脚１０を有する。図ではボルト２の上または外側に位置する第一脚９は、下脚１０より短い。
【００３３】
両脚９、１０の中心を貫通するのは、保持要素４をボルト２に押し込んで滑り込ませることができるように、ボルト２の直径に適応させた開口１３である。ばね板４が溝５につかえることを防止するために、開口１３の両側に、ガイドストラップ１８が設けられる。したがって、ボルト２の長さ方向に見て、ガイドストラップ１８は溝５の幅より大きい長さを有する。ガイドストラップ１８は曲げ薄板金属によって形成され、その長さは脚９、１０の間隔にほぼ一致する。
【００３４】
さらに、保持要素４はそのＵ字形状と調和しながら、脚９、１０の間隔が固定部品３のワイヤの直径にほぼ一致するように寸法を決定された、脚９，１０を接合する湾曲部１１を有する。湾曲部１１の中間領域に、固締用クリップ３の脚７および湾曲８の領域の幅に適合する凹部１７があり、固締用クリップをその折曲げ部６以外は凹部１７に通して固締位置から開位置へ押し返すことができるようにしている。
【００３５】
脚９、１０の自由端には、相互に平行に走り、同一方向に上を向いたほぼ９０度の折曲げ部１４、１５がある。折曲げ部１５は脚１０の幅全体に走る。他方、脚９の折曲げ部１４は脚の幅全体には走らず、むしろ両端に、固締用クリップ３の中間部の下に延びて戻止め面１９を形成する非傾斜片またはストラップがある。脚９、１０の異なる長さのおかげで、折曲げ部１４および１５の間に間隔が形成され、それは、固締位置で折曲げ部６を収容するように働く。
【００３６】
ばね板４の第一脚９は、湾曲部１１の後、最初は第二脚１０とほぼ平行に走る。大まかに脚９の中間部の領域で、第一脚９は次いで第二脚１０の方向によじれるので、その折曲げ部１４への遷移部付近で第二脚１０に当接する。予張力のおかげで、固締用クリップ３は、引き出されたときに脚９から決して離昇することができず、むしろ脚９、１０の間に締め付けられる。
【００３７】
ばね板４の全体的な幅および長さは、固定部品３の折曲げ部６を含む全体的な幅および長さに適合される。固締位置で、固定部品３はその外側輪郭が保持要素４の外側輪郭と完全に嵌合する。
【００３８】
緩い非接触状態つまり開位置では、固定部品３は保持要素４に緩く引っ掛かる一方、固定部品３の折曲げ部６は、保持部４の脚９、１０の間の大まかに湾曲部１１付近に保持され、固定部品３はその脚７およびその湾曲部８が、保持要素４の湾曲部１１の凹部１７から突き出る。
【００３９】
取付けの場合、保持要素４はボルト２に押し込まれ、それによりボルト２は保持要素４の開口１３内を進み、保持要素４は、それが溝５内に落ち込むことができないように、ボルト２のガイドストラップ１８に沿って案内される。次いで、溝５の高さで、凹部１７から側方に突出している固定部品３は、それが保持要素４の上脚９の戻止め面１９の後ろに掴持されるまで、固締方向Ｓに側方に溝５内に押し込まれる。これを行なうには、保持要素４のばね力を克服することが必要なだけであり、構成のおかげで、これは傾斜面に沿って行なわれ、したがって非常にわずかな力が必要なだけである。
【００４０】
このために、二つの折曲げ部６を持つ固定部品３は固締方向Ｓに、上脚９が下脚１０から弾性的に離昇するように、ばね板または保持要素４の脚９、１０の自由当接端の領域内に押し込まれる。固定部品３の折曲げ部６は次いで、下脚１０の外側折曲げ部１５に当接するまで、脚９、１０の間をさらに固締方向Ｓに摺動する。同時に、クリップ３の折曲げ部６は短い上脚９の自由端との接触を失い、上脚９は、そのばね張力のおかげで、下脚１０に当接するようになる。これは、上脚９の折曲げ部１４が追加的に、下脚１０に向かって下方に開く二つの凹部１２を有するため、初めて可能になる。次いで、固定部品３が固締位置に配置されるときに、固定部品３の脚７はこれらの凹部１２に挿通される。
【００４１】
固締位置で、固定部品３は次いで、上脚９の折曲げ部１４に隣接するストラップによって、固締方向Ｓに抗して保持要素４に沿って逆戻りするのを防止される。ストラップは戻止め面１９の機能を有し、したがって固締方向Ｓに抗する戻り運動中に固定部品３の折曲げ部８を拘束する。
【００４２】
固定部品３は保持要素４と形状嵌合して保持され、保持要素のばね力は、固定部品３の信頼できる保持を確実にするように選択される。形状嵌合のおかげで、固定部品３はボルト２に対しそれ自体の締付け力を生成する必要がなく、それは固定部品３の歪みが少ないことを意味する。他方、ボルト２に対する軸方向の力は主として固締用クリップ３のみによって吸収されるので、保持要素４はそれ自体のばね力の歪みを受けるだけである。
【００４３】
取外しのために、ボルト保持器１は、保持要素４の折曲げ部１５に取外し用窓１６を有する。保持要素４の圧着された脚９、１０を離昇させて、固定部品３をロック解除するために、例えばねじ回しを取外し用窓１６から保持要素４の一つの上脚９の下に押し込み、これを持ち上げる。このような方法により、固定部品３の折曲げ部６は次いで解放され、固定部品３を溝５から引き出すことができる。ねじ回しのてこ経路は、取外し用窓１６の縁によって制限されるので、ばね板に対して過度の歪みは生じず、したがって取外し中に変形によって破壊されない。
【００４４】
したがって、この実施形態の保持要素４は、保護および捕捉機能に加えて、保持機能を有する。固締クリップ３は固定機能のみを有する。
【００４５】
図５ないし８、９ないし１２、および１３ないし１６には、上述したボルト保持器１の三つの追加的変形例が提示されている。これらは、第一のボルト保持器１とはわずかながら異なり、したがって一致する部分については、それぞれ１００または２００または３００だけ増大した参照番号で表わすものとする。さらに、繰返しを避けるために、以下では相違点だけを取り上げるものとする。
【００４６】
図５ないし８のボルト保持器１０１は、固定部品１０３が脚１０７の領域に狭隘部または狭窄部１２１および拡張部１２４を有し、それらが固定部品１０３をボルト１０２に対して溝１０５の領域で追加的に締め付けるという点で、説明したばかりの第一の保持器とは異なる。狭窄部１２１は、固定部品１０３のわずかであるが確実な押し込みが可能かつ必要であるように選択される。このために、脚１０７は折曲げ部１０６と各々の狭窄部との間の領域で外側に広がるので、押し込みには狭窄部１２１が無い場合より大きい力が必要である。狭窄部の後ろの拡張部１２４は、溝１０５の部分の直径ボルト１０２の直径に適合される。
【００４７】
したがって、固定部１０３は固定位置で、保持要素１０４による戻止め保持に加えて、したがって溝１０５に冗長的に保持される。
【００４８】
別の相違点は、保持要素１０４の一つの上脚１０９が折曲げ部１４を持たず、したがって固締方向Ｓに対して横向きのばね板の他方の脚１１０の方向に下向きによじれず、むしろ脚１０９の自由端の隅１２０が脚１１０の上から下方に、固締方向Ｓに対して斜めに折り曲げられる。したがって脚１０９はその自由端で細くなり、下向きの折曲げ領域が下脚１１０に押し当てられる。したがって、隅１２０は折曲げ部１４のように上脚１０９の幅全体には及ばないので、凹部１２も省くことができる。したがって、固定部品１０３および特にその折曲げ部１０６が固締位置から逆戻りするのを防止する戻止め面１１９が隅１２０の端部に形成される。
【００４９】
さらに、二つのガイドストラップ１８の代わりに、相互に間隔を置いて配置された四つのタブ状ガイドストラップ１１８があり、その位置は固定部品１０３およびボルト１０２の向きに適合される。
【００５０】
容易な工具無しの取外しのために、上脚１０９は、取外し用窓１１８内に適切に延在して、戻止め面から固締クリップ１０３を解除または解放するために保持要素１０４の無工具湾曲を可能にする、レバーストラップ１２７を具備する。
【００５１】
したがって、この実施形態の保持要素１０４は、保護および捕捉機能以外に、保持機能を有する。固締クリップ１０３は固定機能に加えて保持機能を有する。
【００５２】
図９ないし１２には、上述したボルト保持器１、１０１のさらに別の変形例２０１が描かれている。
【００５３】
すでに記述したものと同様に、ボルト保持器２０１は、固定部品２０３と、固定部品２０３をボルト２０２の溝２０５内に固定する保持要素２０４とから構成される。
【００５４】
固定部品３、１０３とは対照的に、固定部品２０３は線材からではなく、Ｕ字形鋼板から構成される。つまり、それは例えば打抜きによって作成することができる。個々の脚２０７を接合するその湾曲部２０８の領域に、取り扱い易くするために把持用凹部２２６が設けられる。
【００５５】
別の相違点は、保持要素２０４の上脚２０９が、その自由端の領域に配設されその表面から固締方向Ｓに下方に傾斜する、下方に折り曲げられたばねストラップ２２２を有することである。これらのばねストラップ２２２の端は、固定部品２０３のための戻止め面２１９を形成する。
【００５６】
さらに、保持要素２０４は、脚２１０の上向きに折り曲げられた側部ストラップまたは上向き傾斜によって形成される側壁２２３を有し、それ以上、保持部の側部を上に折り曲げることができないように、保持部２０４の脚２１９および２１０の間の空間の側部を閉鎖する。
【００５７】
脚２０９および２１０は、ばねストラップ２２２に加えて、わずかに相互の方向に向かって走る。つまり、それらも予張力を有する。さらに、上脚２０９は、上向きではなく、むしろ下向きの折曲げ部２１４を有する（図１２参照）。したがって、脚２０１、２１０の間の空間は、凹部２１７および取外し用窓２１６を除き、実質的に偏差される。
【００５８】
また、ガイドストラップは開口２１３から除去されている。
【００５９】
したがって、この実施形態の保持要素２０４は、保護および捕捉機能以外に、保持機能を有する。固締クリップ２０３は固定機能のみを有する。
【００６０】
図１３ないし１６には、前述のボルト保持器１、１０１、２０１のさらに別の変形例３０１が描かれている。
【００６１】
前述のものと同様に、ボルト保持器３０１は、固定部品３０３および要素３０４から成る。しかし、ボルト保持器３０１は、ボルト３０２の溝３０５における固定部品３０３の固定が要素によって行なわれず、むしろ固定部品３０３に二つの狭窄部３２１およびそれらの間に位置する拡張部３２５が設けられ、固定部品３０３がその拡張部３２４によってボルト３０２の溝３０５を把持するようにした点が、前述した実施形態とは異なる。拡張部３２４は、ボルト３０２の溝３０５における直径に適合される。
【００６２】
このために、狭窄部３２１の直径は、脚３０７を押し広げることによって固定部品３０３を容易にしかも確実に溝３０５内に押し込むことができるように選択される。ひとたび第一狭窄部３２１が溝３０５内にある状態で固定部品３０３がボルト３０２を通過すると、脚３０７が跳ね返り、拡張部３２４がボルト３０２の溝部３０５を把持する。第二狭窄部３２１は、拡張部３２４を反対側で束縛する。
【００６３】
したがって、実施形態の要素３０４は、固定部品３０３の意図的でない解放を防止する機能を有する。この機能は、一方で要素３０４が固締方向Ｓに、したがってボルト３０２の長さ方向に対し直角にボルト３０２を押圧し、他方で固定部品３０３が固締位置で要素の外側輪郭内に配置されることからも、要素３０４によって達成することができる。したがって、固締方向Ｓまたは逆方向の外部の機械的力は、固定部品３０３には働かず、むしろ要素３０４を介してボルト３０２に対して働く。
【００６４】
加えて要素３０４は、固定部品３０３の折曲げ部３０６によって捕捉的に固定部品３０３に結合されるので、すでに述べた捕捉機能をも有する。
【００６５】
言うまでもなく、ボルト保持器１、１０１、２０１、３０１の四つの異なる実施形態の組合せも可能である。
【図面の簡単な説明】
【００６６】
【図１】実際の固締前のボルト頭と本発明に係るボルト保持器を斜めに見下ろす斜視図である。
【図２】ボルト頭上で固締位置にある図１のボルト保持器である。
【図３】図２のボルト保持器の側面図である。
【図４】図３のボルト保持器を線Ａ−Ａに沿って切った上面図である。
【図５】実際の固締前のボルト頭と本発明に係る別のボルト保持器を斜めに見下ろす斜視図である。
【図６】ボルト頭上で固締位置にある図５のボルト保持器である。
【図７】図６のボルト保持器の側面図である。
【図８】図７のボルト保持器の線Ａ−Ａに沿って切った上面図である。
【図９】実際の固締前のボルト頭と本発明に係る別のボルト保持器を斜めに見下ろす斜視図である。
【図１０】ボルト頭上で固締位置にある図９のボルト保持器である。
【図１１】図１０のボルト保持器の側面図である。
【図１２】図１１のボルト保持器の線Ａ−Ａに沿って切った上面図である。
【図１３】実際の固締前のボルト頭と本発明に係る別のボルト保持器を斜めに見下ろす斜視図である。
【図１４】ボルト頭上で固締位置にある図１３のボルト保持器である。
【図１５】図１４のボルト保持器の側面図である。
【図１６】図１５のボルト保持器の線Ａ−Ａに沿って切った上面図である。
【図１】
0004728908.tif 000002
【図２】
0004728908.tif 000003
【図３】
0004728908.tif 000004
【図４】
0004728908.tif 000005
【図５】
0004728908.tif 000006
【図６】
0004728908.tif 000007
【図７】
0004728908.tif 000008
【図８】
0004728908.tif 000009
【図９】
0004728908.tif 000010
【図１０】
0004728908.tif 000011
【図１１】
0004728908.tif 000012
【図１２】
0004728908.tif 000013
【図１３】
0004728908.tif 000014
【図１４】
0004728908.tif 000015
【図１５】
0004728908.tif 000016
【図１６】
0004728908.tif 000017